(57)【要約】【課題】木造建物の崩壊の原因は、接合具と構成部材がばらばらになること。倒壊の原因は、軸部が平行四辺形になること。これらの点を解決することが課題である。【解決手段】本発明の直結曲げ鉄筋ブレースと木部との接合機能は、仕口がばらばらにならないように抵抗する座金の引寄せ機能および軸部が平行四辺形にならないように抵抗する平板鋼のせん断機能の二つの機能を有している。よって、接合具の釘．ビス．ボルト、引寄せ金物が不用である。  また、直結曲げ鉄筋ブレースの耐震壁および門型ラーメンに水平地震力が作用すると、曲げ鉄筋ブレースが引張り応力を負担し、仕口の木部同士の接触面には、圧縮応力だけが発生する。よって、引寄せ金物が不用である。【選択図】図９
2009197570.tif 000002
【特許請求の範囲】
【請求項１】
羽子板（２）とターンバックル（３）を有する鉄筋ブレースの軸部（４）を木横架材（７）に挿通させ、木横架材の上端部（７Ａ）下端部（７Ｂ）に軸部（４）の係合する部分（４Ａ、４Ｂ）の二箇所を曲げた、直結曲げ鉄筋ブレース
【請求項２】
羽子板（２）とターンバックル（３）を有する鉄筋ブレースの軸部（４）を木横架材（７）に挿通させ、木横架材の下端部（７Ｂ）に軸部（４）の係合する部分（４Ｂ）の一箇所を曲げた、直結曲げ鉄筋ブレース
【請求項３】
請求項１、２の直結曲げ鉄筋ブレースの軸部（４）の曲げた部分（４Ａ、４Ｂ）に軸部（４）が木横架材へのめりこみ防止用の平板鋼または、筒状鋼を有する直結曲げ鉄筋ブレース
【請求項４】
羽子板（２）とターンバックル（３）を有する鉄筋ブレースの軸部（４）を木柱に挿通させ、木柱の右側面（８Ａ）左側面（８Ｂ）に軸部（４）の係合する部分（４Ａ、４Ｂ）の二箇所を曲げた、直結曲げ鉄筋ブレース
【請求項５】
羽子板（２）とターンバックル（３）を有する鉄筋ブレースの軸部（４）を木柱に挿通させ、木柱の左側面（８Ｂ）に軸部（４）の係合する部分（４Ｂ）の一箇所を曲げた、直結曲げ鉄筋ブレース
【請求項６】
請求項４，５の直結曲げ鉄筋ブレースの軸部（４）の曲げた部分（４Ａ、４Ｂ）に軸部（４）が木柱へのめりこみ防止用の平板鋼または、筒状鋼を有する直結曲げ鉄筋ブレース
【請求項７】
請求項１，２，３，４、５、６の直結曲げ鉄筋ブレース同士を上下方向または横方向に直結することで、軸組みが連続体になる施工法
【発明の詳細な説明】
【技術分野】
【０００１】  本発明は、木造軸組み建物に使用する鉄筋ブレース
【背景技術】
【０００２】  従来の耐震壁は、建築基準法施行令４６条の木の筋交い、鉄筋ブレース、土塗壁およびＳ５６建設省告示第１１００号の面材、土塗壁、格子である。木軸との接合具は、釘．ビス．ボルトであり、接合方法および接合具数は、Ｈ１２建設省告示第１４６０号にある。この接合具の力の伝達は、せん断抵抗である。また、他に大臣認定の耐震壁がある。【０００３】
【特許文献】  ありませんでした。
【非特許文献１】  建築知識・エクスナレッジムック「改正」建築基準法に完全対応．地震に強い［木造住宅］パーフェクトとマニュアル．ｐ−１２０．２００３．文責（財）日本住宅・木材技術センター普及部、小野泰
【発明の開示】
【発明が解決しようとする課題】
【０００４】  従来の耐震壁の破壊形態は、ボルト接合では、木の繊維方向はせん断、繊維直角方向は割裂、釘ビス接合では抜けである。また、ホールダウン金物等の引寄せ金物と柱との接合具は、釘．ビス．ボルトであり、破壊形態は同様である。【０００５】  また、大地震時に、軸部の木柱、木横架材に大地震力が入力しない間に接合部が先に破壊する。軸部材単体の強度の実力は、大地震力に対抗できる。しかし、実力を発揮発現しない間に倒壊する。原因は、接合部にある。【０００６】  木造建物の崩壊の原因は、接合具と構成部材がばらばらになること。倒壊の原因は、軸部が平行四辺形になること。これらの点を解決することが課題である。
【課題を解決するための手段】
【０００７】  本発明の直結曲げ鉄筋ブレースと木部との接合機能は、仕口がばらばらにならないように抵抗する座金１１の引寄せ機能および軸部が平行四辺形にならないように抵抗する平板鋼１２のせん断機能の二つの機能を有している。よって、接合具の釘．ビス．ボルト、引寄せ金物が不用である。【０００８】  また、直結曲げ鉄筋ブレースの応力の鉛直成分は座金１１の面、水平成分は平板鋼１２の面により、木部へ伝達する。よって、面を大きくすること、つまり、木部との接触面積を大きくすることにより、めりこみ剛性が高くなる。よって、面の面積を大小にすることで、軸部の水平剛性の変更ができて簡便である。【０００９】  また、直結曲げ鉄筋ブレースの耐震壁および門型ラーメンに水平地震力が作用すると、直結曲げ鉄筋ブレースが引張り応力を負担し、仕口の木部同士の接触面には、圧縮応力だけが発生する。よって、引寄せ金物が不用である。【００１０】  また、直結曲げ鉄筋ブレースの木部への力の伝達は、ブレース軸部の曲げ部の４Ａまたは４Ｂの一点に作用し、偏芯していない。よって、水平荷重変形剛性が高い。【００１１】  また、転倒モーメントによる木柱の引抜きは、木横架材７の曲げ耐力で抵抗するため、引寄せ金物が不用になる。また、一階部分の耐震壁は、直結曲げ鉄筋ブレースのターンバックルを基礎に斜めに埋めたアンカーボルトに直結することで解決する。
【発明の効果】
【００１２】  上下階連層の耐力壁の場合には、直結曲げ鉄筋ブレース同士が連結し、上下階が連続体になることで、一次モードの上下階が同方向変形、二次モードの異方向変形、の傾きにおいても、層間変形角の計算と地震時の建物挙動の推定も簡便である。【００１３】  また、安全限界計算において、直結曲げ鉄筋ブレースの破断が建物の破壊である。よって、建物破壊の推定、および、直結曲げ鉄筋ブレースの塑性範囲の伸び量から、安全限界層間変形角の推定が簡便である。【００１４】  また、座金１１を木柱の断面サイズにした場合は、木柱の木口が木横架材へのめりこみ剛性と座金１１めりこみ剛性が一致することで、各仕口の剛性は同じになり、荷重変形角計算が簡便である。【００１５】  また、ターンバックルの締め付け量の加減で耐震壁の剛性の変更が簡便である。よって、建物全体の剛性の変更も同じく簡便である。締め付けによる各構成部材への入力量は、各構成部材の長期許容耐力以内とする。【００１６】  図９の直結曲げ鉄筋ブレース１５Ａ、１５Ｂより１５Ｃ、１５Ｄの方にターンバックルでプレテンションを大きくかけて、木横架材の継ぎ手部分１６の木口に圧縮負荷が発生する、よって、羽子板ボルト等の引寄せ金物がいらなくなる。なお、地震の水平力によって軸部の層間変形角が変化しても、木口の圧縮負荷量は変化しない。当然に木口に引張り応力は発生しない。【００１７】  既存建物の耐震補強でも、直結曲げ鉄筋ブレースを取り付ける木横架材の切削がドリルとノミでの加工で簡易あり、また、木柱の倒れの修正は、ターンバックルの締め付けで修正できて簡便である。【００１８】  また、直結曲げ鉄筋ブレースは、取り付け、取り外しが簡単であり、既存建物を解体移転する場合を考慮すれば、作業能率がよく、再使用ができてコストダウンである。【００１９】本発明の構成部材は、直結曲げ鉄筋ブレースの他に、平板鋼、座金、三角座金、ナットであり、部材数が少ないことで、部材コストの低減と作業効率の向上になる。
【発明を実施するための最良の形態】
【実施例】
【００２０】  以下、本発明の実施の形態を説明する。【００２１】  新築の場合は、地上で木横架材に取り付ける。【００２２】  木横架材のせいを２７０ｍｍ、ブレースの傾きを１／３と仮定し、図１の曲げ鉄筋ブレースの取り付け方と木横架材の挿通空のサイズの計算法について、説明する。【００２３】  挿通空（７Ｃ）のサイズの計算
木横架材２７０ｍｍ×１／２×１／３×１／２＋ブレースＭ１６ｍｍ＝３８．５ｍｍ
３８．５ｍｍ＜ドリル孔３０ｍｍ＋平板鋼厚９ｍｍ＝３９ｍｍ・・・ｏｋ【００２４】  木横架材７に径３０ｍｍのドリル孔を空け、平板鋼サイズ（厚９ｍｍ、幅３０ｍｍ、深さ４０ｍｍ）をノミで空け、次にブレースの軸部４をターンバックルから、はずして、座金１１を５Ａに入れる、【００２５】  次にブレース軸部の５Ａを木横架材の下端部（７Ｂ）のドリル孔から挿通して、平板鋼１２を設置する。ブレース軸部が曲がっていることで、平板鋼と緩衝して入らない場合は、ブレース軸部を９０度回転させ、および、下方向にずらして、平板鋼を設置する。【００２６】  次に．５Ａに座金１１を、三角座金１３を、そして、右回しねじナット１４で緊結する。【００２７】  軸組みの組み立て時にターンバックル３とブレース軸部１を取り付けることで、木の仮筋交いは、省くことができる。【００２８】  図２，３の直結曲げ鉄筋ブレースの取り付け方法、ブレース軸部の４の曲がっている方向に力がかかるので、曲がっている部分の内角側に平板鋼を設置する。よって、その部分と係合する木横架材の部分を加工する。【００２９】  木横架材の加工部分の差異は、曲がっている部分の数と方向である。【００３０】  構造計算例・木横架材べいまつ  ｓｆｃ１５０ｋｇｆ／ｃｍ２、ｓｆｍ５０ｋｇｆ／ｃｍ２
平板鋼面３０ｍｍ×４０ｍｍの水平入力短期許容耐力
３ｃｍ×４ｃｍ×１５０ｋｇｆ／ｃｍ２＝１８００ｋｇｆ
座金面１００ｍｍ角の鉛直入力短期許容耐力
１０ｃｍ×１０ｃｍ×５０ｋｇｆ／ｃｍ２＝５０００ｋｇｆ
水平力に換算５０００ｋｇｆ×１／３＝１６６６ｋｇｆ
ｍｉｎ（１８００ｋｇｆ、１６６６ｋｇｆ）＝１６６６ｋｇｆ
１６６６ｋｇｆ×１／２００ｋｇｆ≒８・・・壁倍率８相当
【図面の簡単な説明】
【００３１】
【図１】上下方向に連結する直結曲げ鉄筋ブレースの軸部を同方向に２箇所曲げた正面図
【図２】横方向に連結する直結曲げ鉄筋ブレースの軸部を異方向に２箇所曲げた正面図
【図３】上下、横方向に連結しない直結曲げ鉄筋ブレースの軸部を１箇所曲げた正面図
【図４】図１〜３の側面図、
【図５】図１の直結曲げ鉄筋ブレースを挿通するために加工した木横架材を上から見た図
【図６】図５の縦断図
【図７】図１の直結曲げ鉄筋ブレースと平板鋼と座金を図６に取り付けた図
【図８】図７に座金と三角座金を取り付け、ナットで堅結した図
【図９】図１〜３の直結曲げ鉄筋ブレースを取り付けた建物の軸組み全体図、
【符号の説明】
【００３２】          １．  直結曲げ鉄筋ブレースの軸部
２．  直結曲げ鉄筋ブレースの羽子板部
３．  ターンバックル
４．  木横架材に挿通する直結曲げ鉄筋ブレースの軸部
４Ａ．木横架材に挿通する直結曲げ鉄筋ブレースの軸部が木横架材の上端部に                係合する部分
４Ｂ．木横架材に挿通する直結曲げ鉄筋ブレースの軸部が木横架材の下端部に                係合する部分
５Ａ．直結曲げ鉄筋ブレースの右回しねじ部
５Ｂ．直結曲げ鉄筋ブレースの左回しねじ部
６．  高力ボルト孔
７．  木横架材
７Ａ．木横架材の上端部
７Ｂ．木横架材の下端部
７Ｃ．木横架材の挿通空
８Ａ．木柱の右側面
８Ｂ．木柱の左側面
９．  木横架材に直結曲げ鉄筋ブレースの軸部（４）を挿通するためのドリル                孔
１０．  木横架材に平板鋼（１２）を設置するための空
１１．  座金
１２．  平板鋼
１３．  三角座金
１４．  右回しねじナット
１５Ａ．直結曲げ鉄筋ブレース
１５Ｂ．直結曲げ鉄筋ブレース
１５Ｃ．直結曲げ鉄筋ブレース
１５Ｄ．直結曲げ鉄筋ブレース
１６．  木横架材の継ぎ手
１７．  アンカーボルト
１８．  コンクリート基礎
【図１】
2009197570.tif 000003
【図２】
2009197570.tif 000004
【図３】
2009197570.tif 000005
【図４】
2009197570.tif 000006
【図５】
2009197570.tif 000007
【図６】
2009197570.tif 000008
【図７】
2009197570.tif 000009
【図８】
2009197570.tif 000010
【図９】
2009197570.tif 000011